(57)【特許請求の範囲】
【請求項１】
ベース基材の一方の面側に配置された複数の帯状電極からなる第１の電極層と、透明基板上に形成され、前記第１の電極層に対向配置された第２の電極層と、前記第１の電極層と前記第２の電極層との間に挟み込まれた情報表示層とを有し、前記複数の帯状電極と前記第２の電極層との間の電位差に応じた前記情報表示層による第１の色及び第２の色が前記第２の電極層側から視認されることによって、前記第２の色を背景として、前記第１の色を具備するバーが、表現する情報に応じた幅及び間隔を有して幅方向に複数並んで構成されるバーコードを表示するバーコード表示媒体において、
前記透明基板上の一部に前記バーコードを視認可能に設けられ、前記バーコードが視認される側の端部に、表示される複数のバーと平行な直線状のエッジ部分を具備するマスク層を有し、
前記マスク層は、前記複数のバーの並び方向最も外側となる２つのバーから、前記複数のバーのうちその幅が最も狭いバーの幅の１０〜２９倍だけ前記複数のバーの並び方向外側に離れて設けられ、（明度Ｌ＊）＋（色度ａ＊）＋（色度ｂ＊）の値が７４以下となる色から構成されていることを特徴とするバーコード表示媒体。
【発明の詳細な説明】
【技術分野】
【０００１】
本発明は、バーコードを表示するバーコード表示媒体に関し、特に、表面にマスク層が設けられた場合におけるバーコードの読取精度向上技術に関する。
【背景技術】
【０００２】
従来より、物品を管理するためにバーコードが利用されている。このバーコードは、白色を背景として識別情報を複数本からなる黒色線の幅及び間隔で表したものであり、バーコードリーダで読み取ることにより識別情報を認識することができる。このようなバーコードは、物品に直接印刷されたり、ラベルに印刷されて物品に貼付されたりして利用されている。そのため、一度印刷されたバーコードを変更することができず、バーコードを変更する場合は、物品にバーコードを印刷しなおしたり、変更したバーコードが印刷されたラベルを貼り直したりしなければならない。
【０００３】
そこで、対向する電極間に、印加された電位に応じてその状態が変化する表示媒体を配置し、その電極に印加する電位を用いて表示媒体の状態を変化させて情報を表示する情報表示パネルを用いてバーコード表示を行う技術が考えられている（例えば、特許文献１参照。）。この情報表示パネルにおいては、バーコードを構成するバーのうちその幅が最も狭いバーの幅を有する電極を幅方向に複数並べて配置し、この複数の電極に選択的に電位を印加することにより、表示媒体のその電極に対向する領域の状態を変化させ、白色を背景とし、表示する情報に応じた幅及び間隔で黒色線を表示することになる。
【０００４】
上述したような情報表示パネルを用いてバーコードを表示するものにおいては、バーコードを表示するために、複数の電極に選択的に電位を印加することになるため、これら複数の電極にはそれぞれ電位を印加するための配線や接続端子が接続されている必要がある。そして、電極に印加された電位に応じて、表示媒体のその電極に対向する領域の状態が変化して白色や黒色が表示されることになるため、表示媒体の電極に接続された配線や接続端子に対向する領域においても、印加された電位に応じて表示媒体の状態が変化して白色の背景領域に黒色線が表示されてしまうことになる。
【０００５】
そこで、上述したような配線や接続端子が設けられた領域の表面に、印刷等によってマスク層を設けておき、それにより、表示媒体の配線や接続端子に対向する領域の状態が、印加された電位によって変化した場合であっても、それが視認されてしまうことを回避することが行われている。
【先行技術文献】
【特許文献】
【０００６】
【特許文献１】特開２００６−２３４９１１号公報
【発明の概要】
【発明が解決しようとする課題】
【０００７】
上述したようなバーコードにおいては、黒色線によるバーの並びがバーコードであることを識別させるために、バーの並び方向外側に、バーコードを構成するバーのうちその幅が最も狭いナローバーの１０倍以上の幅を有するクワイエットゾーンという余白部分が設けられている。
【０００８】
ところが、上述したようなマスク層を設けた場合、バーコードを構成するバーのうち最も外側のバーよりもナローバーの１０倍以上外側にマスク層を設けても、マスク層のエッジ部分がバーとして認識され、バーコードの読み取り精度が低下してしまう。特に、赤外線レーザタイプのバーコードリーダを用いた場合、バーコードを読み取ることができなくなってしまう場合がある。そのため、マスク層を設ける場合、クワイエットゾーンの幅をかなり広いものとする必要が生じ、それにより、バーコードを表示するバーコード表示媒体全体の大きさが大きくなってしまうという問題点がある。
【０００９】
本発明は、上述したような従来の技術が有する問題点に鑑みてなされたものであって、表面にマスク層を設けた場合であっても全体を大型化することなくバーコードを正確に読み取ることができるバーコード表示媒体を提供することを目的とする。
【課題を解決するための手段】
【００１０】
上記目的を達成するために本発明は、
ベース基材の一方の面側に配置された複数の帯状電極からなる第１の電極層と、透明基板上に形成され、前記第１の電極層に対向配置された第２の電極層と、前記第１の電極層と前記第２の電極層との間に挟み込まれた情報表示層とを有し、前記複数の帯状電極と前記第２の電極層との間の電位差に応じた前記情報表示層による第１の色及び第２の色が前記第２の電極層側から視認されることによって、前記第２の色を背景として、前記第１の色を具備するバーが、表現する情報に応じた幅及び間隔を有して幅方向に複数並んで構成されるバーコードを表示するバーコード表示媒体において、
前記透明基板上の一部に前記バーコードを視認可能に設けられ、前記バーコードが視認される側の端部に、表示される複数のバーと平行な直線状のエッジ部分を具備するマスク層を有し、
前記マスク層は、前記複数のバーの並び方向最も外側となる２つのバーから、前記複数のバーのうちその幅が最も狭いバーの幅の１０〜２９倍だけ前記複数のバーの並び方向外側に離れて設けられ、（明度Ｌ＊）＋（色度ａ＊）＋（色度ｂ＊）の値が７４以下となる色から構成されていることを特徴とする。
【００１１】
上記のように構成された本発明においては、ベース基材の一方の面側に配置された複数の帯状電極と、この複数の帯状電極からなる第１の電極層に対向配置された第２の電極層との間の電位差に応じて、これら第１の電極層と第２の電極層との間に挟み込まれた情報表示層による第１の色及び第２の色が第２の電極層側から視認されることによって、第２の色を背景として、第１の色を具備するバーが、表現する情報に応じた幅及び間隔を有して幅方向に複数並んで構成されるバーコードが表示されることになる。ここで、第２の電極層が形成された透明基板上の一部には、情報表示層の配線や接続端子に対向する領域における状態の変化による色が視認されてしまうことを回避するためにマスク層が設けられているが、このマスク層が、表示される複数のバーの並び方向最も外側となる２つのバーから、複数のバーのうちその幅が最も狭いバーの幅の１０〜２９倍だけ複数のバーの並び方向外側に離れて設けられ、（明度Ｌ＊）＋（色度ａ＊）＋（色度ｂ＊）の値が７４以下となる色から構成されている。マスク層の色をこのような構成とすることにより、マスク層が、表示される複数のバーの並び方向最も外側となる２つのバーから、複数のバーのうちその幅が最も狭いバーの幅の１０倍以上複数のバーの並び方向外側に離れて設けられていれば、マスク層のエッジ部分がバーとして認識されてしまうことがない。
【発明の効果】
【００１２】
以上説明したように本発明においては、情報表示層の配線や接続端子に対向する領域における状態の変化による色が視認されてしまうことを回避するために、第２の電極層が形成された透明基板上の一部に設けられたマスク層が、表示される複数のバーの並び方向最も外側となる２つのバーから、複数のバーのうちその幅が最も狭いバーの幅の１０〜２９倍だけ複数のバーの並び方向外側に離れて設けられ、（明度Ｌ＊）＋（色度ａ＊）＋（色度ｂ＊）の値が７４以下となる色から構成されているため、マスク層が、表示される複数のバーの並び方向最も外側となる２つのバーから、複数のバーのうちその幅が最も狭いバーの幅の１０倍以上複数のバーの並び方向外側に離れて設けられていれば、マスク層のエッジ部分がバーとして認識されてしまうことがなくなり、表面にマスク層を設けた場合であっても全体を大型化することなくバーコードを正確に読み取ることができる。
【図面の簡単な説明】
【００１３】
【図１】本発明のバーコード表示媒体によって表示されるバーコードの一例を示す図である。
【図２】本発明のバーコード表示媒体の実施の一形態に用いられる配線電極基板の構成を示す図であり、（ａ）は表面から見た図、（ｂ）は（ａ）に示したＡ−Ａ’断面図である。
【図３】図２に示した配線電極基板を用いたバーコード表示媒体の構成を示す図であり、（ａ）は表面から見た図、（ｂ）は（ａ）に示したＡ−Ａ’断面図、（ｃ）は（ｂ）に示したＡ部拡大図である。
【図４】図３に示したバーコード表示媒体によって図１に示したバーコードを表示する際の動作を説明するための図であり、（ａ）は帯状電極と透明電極との間における電位差による帯電性粒子の移動を示す図、（ｂ）はバーコード表示媒体を透明導電膜基板側から見た場合の見え方を示す図である。
【図５】図３及び図４に示したバーコード表示媒体においてバーコードの読取精度を向上させるためのマスク印刷の色を説明するための図である。
【発明を実施するための形態】
【００１４】
以下に、本発明の実施の形態について図面を参照して説明する。
【００１５】
まず、本発明のバーコード表示媒体によって表示されるバーコードについて説明する。
【００１６】
図１は、本発明のバーコード表示媒体によって表示されるバーコードの一例を示す図である。
【００１７】
本例におけるバーコードは図１に示すように、第２の色となる白色を具備する背景部４を背景とし、第１の色となる黒色を具備する複数のバー５がその幅方向に複数並んで配置されており、情報を表現するためのバーコードシンボル部２と、このバーコードシンボル部２の両側に配置されたクワイエットゾーン３とから構成されている。
【００１８】
バーコードシンボル部２は、背景部４上に、複数のバー５が、バーコード１によって表現する情報に応じた幅及び間隔を有して幅方向に並んでいる。なお、バーコードシンボル部２には、スタートコード及びストップコード、また、チェックデジットを表現する領域も含まれている。
【００１９】
クワイエットゾーン３は、白色の背景部４のみからなり、バーコードシンボル部２のバー５の並び方向外側に配置されている。
【００２０】
図２は、本発明のバーコード表示媒体の実施の一形態に用いられる配線電極基板の構成を示す図であり、（ａ）は表面から見た図、（ｂ）は（ａ）に示したＡ−Ａ’断面図である。なお、図２に示す配線電極基板１０は、図１に示したバーコード１を表示するためのバーコード表示媒体に用いられるものである。
【００２１】
本形態における配線電極基板は図２に示すように、ベース基板１１の一方の面に、第１の電極層を構成する帯状電極１２がその幅方向に複数並んで形成され、さらにその帯状電極１２の並び方向外側に２つの余白用電極１５が形成されており、これら帯状電極１２及び余白用電極１５のそれぞれには、配線１３を介して接続端子１４が接続されている。余白用電極１５は、クワイエットゾーン３を表示するためのものであって、クワイエットゾーン３が白色の背景部４のみからなるものであるため、クワイエットゾーン３の幅、もしくはそれ以上の幅を有する１つずつのものとなっている。また、複数の帯状電極１２のそれぞれは、バーコードシンボル部２を表示するためのものであって、上述したスタートコード、ストップコード及びチェックデジットを表現する部分も含めて、バーコードシンボル部２にて表示されるバー５のうちその幅が最も狭いバー（以下、ナローバーと称する）の幅と同一のものとなっている。
【００２２】
図３は、図２に示した配線電極基板１０を用いたバーコード表示媒体の構成を示す図であり、（ａ）は表面から見た図、（ｂ）は（ａ）に示したＡ−Ａ’断面図、（ｃ）は（ｂ）に示したＡ部拡大図である。
【００２３】
本形態におけるバーコード表示媒体は図３に示すように、図２に示した配線電極基板１０の帯状電極１２及び余白用電極１５が形成された面に、情報表示層２０と透明導電膜基板３０とが積層されて構成されている。透明導電膜基板３０は、ガラス等からなる透明基板３１の一方の面に第２の電極層となる透明電極（例えば、ＩＴＯ）３２が形成されて構成されており、また、情報表示層２０は、隔壁２１とシール層２４とで囲まれた領域に、帯電性粒子２３が分散した隔壁内液体２２が収容されて構成されている。そして、これら配線電極基板１０、情報表示層２０及び透明導電膜基板３０は、透明電極３２と帯状電極１２及び余白用電極１５とが、隔壁２１とシール層２４とで囲まれた領域に収容された隔壁内液体２２を介して対向するように積層されている。なお、隔壁２１は、底部と、情報表示層２０の外周部となる側部と、側部で囲まれた領域を複数の領域に区画するための壁部とからなり、底部とは反対側の面が開口した形状となっている。そして、底部側が透明導電膜基板３０に対向するように積層されており、開口した側にシール層２４が積層されている。
【００２４】
また、透明導電膜基板３０は、情報表示層２０の帯状電極１２とは反対側に積層されており、透明基板３１上には、余白用電極１５の帯状電極１２との並び方向外側の一部と重なりながら帯状電極１２と余白用電極１５を取り囲むように、マスク印刷３３が施されていることによりマスク層が設けられている。それにより、配線電極基板１０に形成された配線１３及び接続端子１４が透明明導電膜基板３０を介して視認されないようになっている。
【００２５】
以下に、上記のように構成されたバーコード表示媒体６によるバーコード表示について説明する。
【００２６】
図４は、図３に示したバーコード表示媒体６によって図１に示したバーコード１を表示する際の動作を説明するための図であり、（ａ）は帯状電極１２と透明電極３２との間における電位差による帯電性粒子２３の移動を示す図、（ｂ）はバーコード表示媒体６を透明導電膜基板３０側から見た場合の見え方を示す図である。
【００２７】
図３に示したバーコード表示媒体６によって図１に示したバーコード１を表示する場合、例えば、透明電極３２を０Ｖとし、また、ベース基板１１に形成された帯状電極１２及び余白用電極１５のうち、クワイエットゾーン３を表示するための余白用電極１５と、バーコードシンボル部２にて表現したい情報に応じて背景部４を表示するための帯状電極１２にプラスの電圧を印加するとともに、バーコードシンボル部２にて表現したい情報に応じてバー５を表示するための帯状電極１２にマイナスの電圧を印加する。これは、配線１３を介して帯状電極１２または余白用電極１５に接続された接続端子１４にプラスあるいはマイナスの電圧が選択的に印加されることにより行われる。
【００２８】
このように、透明電極３２が０Ｖとされ、帯状電極１２及び余白用電極１５にプラスあるいはマイナスの電圧が印加されると、プラスの電圧が印加された帯状電極１２及び余白用電極１５に対向する領域においては、帯状電極１２に対して透明電極３２側がマイナスとなる電位差が生じ、また、マイナスの電圧が印加された帯状電極１２に対向する領域においては、帯状電極１２に対して透明電極３２側がプラスとなる電位差が生じる。すると、隔壁２１及びシール層２４で囲まれた領域に収容された隔壁内液体２２が誘電性物質からなり、帯電性粒子２３がプラス電位に帯電しているものであることから、図４（ａ）に示すように、マイナスの電圧が印加された帯状電極１２に対向する領域においては、帯電性粒子２３が帯状電極１２側に引き寄せられていき、また、プラスの電圧が印加された帯状電極１２及び余白用電極１５に対向する領域においては、帯電性粒子２３が透明電極３２側に引き寄せられていく。
【００２９】
そして、隔壁内液体２２が染料または顔料で黒色に着色されており、帯電性粒子２３が高屈折率の光散乱成分を含むため、このバーコード表示媒体６を透明導電膜基板３０側から見た場合、マイナスの電圧が印加された帯状電極１２に対向する領域においては、情報表示層２０による黒色が透明導電膜基板３０を介して認識され、また、プラスの電圧が印加された帯状電極１２及び余白用電極１５に対向する領域においては、情報表示層２０による白色が透明導電膜基板３０を介して認識されるようになる。
【００３０】
バーコードシンボル部２においては、帯状電極１２の幅が、上述したように、バーコードシンボル部２にて表示されるバー５のうちナローバーの幅と同一のものとなっているため、バーコードシンボル部２にて黒色で表示されるバー５の幅が帯状電極１２の幅と同一である場合は、１つの帯状電極１２にマイナスの電圧が印加されるとともにその帯状電極１２に隣接する帯状電極１２にプラスの電圧が印加され、また、バーコードシンボル部２にて黒色で表示されるバー５の幅が帯状電極１２の幅の２倍である場合は、隣接する２つの帯状電極１２にマイナスの電圧が印加されるとともにその２つの帯状電極１２の両側に隣接する帯状電極１２にプラスの電圧が印加され、また、バーコードシンボル部２にて黒色で表示されるバー５の幅が帯状電極１２の幅の３倍である場合は、隣接する３つの帯状電極１２にマイナスの電圧が印加されるとともにその３つの帯状電極１２の両側に隣接する帯状電極１２にプラスの電圧が印加されることになる。また、背景部４についても同様に、バーコードシンボル部２にて表示される２つのバー５の間隔が帯状電極１２の幅と同一である場合は、１つの帯状電極１２にプラスの電圧が印加されるとともにその帯状電極１２に隣接する帯状電極１２にマイナスの電圧が印加され、また、バーコードシンボル部２にて表示される２つのバー５の間隔が帯状電極１２の幅の２倍である場合は、隣接する２つの帯状電極１２にプラスの電圧が印加されるとともにその２つの帯状電極１２の両側に隣接する帯状電極１２にマイナスの電圧が印加され、また、バーコードシンボル部２にて表示される２つのバー５の間隔が帯状電極１２の幅の３倍である場合は、隣接する３つの帯状電極１２にプラスの電圧が印加されるとともにその３つの帯状電極１２の両側に隣接する帯状電極１２にマイナスの電圧が印加されることになる。
【００３１】
このように、バーコードシンボル部２にて黒色で表示されるバー５の幅及び間隔に応じて帯状電極１２にプラスあるいはマイナスの電圧が印加されことにより、バーコード表示媒体６を透明導電膜基板３０側から見た場合、図４（ｂ）に示すように、バーコードシンボル部２においては、白色を具備する背景部４を背景とし、黒色を具備する複数のバー５がその幅方向に複数並んで配置されてなるバーコード１が認識され、また、クワイエットゾーン３においては白色の背景部４のみが認識されることになる。なおこの際、バーコードシンボル部２におけるバー５の幅や間隔に応じて同一の電圧が印加される複数の帯状電極１２は、微小間隔で並んで配置されているので、隣接する複数の帯状電極１２に同一の電圧を印加した場合、微小間隔は認識されず、隣接する２つの帯状電極１２に同一の電圧が印加された場合は、帯状電極１２の２倍の幅のバー５または背景部４が認識され、隣接する３つの帯状電極１４に同一の電圧が印加された場合は、帯状電極１２の３倍の幅のバー４または背景部４が認識されることになる。
【００３２】
また、情報表示層２０においては、配線１３や接続端子１４に対向する領域においても、帯状電極１２に印加される電圧に応じて帯電性粒子２３が配線１３や接続端子１４、または透明電極３２に引き寄せられることにより、バーコード表示媒体６を透明導電膜基板３０側から見た場合、黒色または白色が認識されてしまうことになるが、透明基板３２上において帯状電極１２と余白用電極を取り囲む領域にマスク印刷３３が施されているため、このマスク印刷３３によって、情報表示層２０の配線１３や接続端子１４に対向する領域における状態の変化による色が視認されてしまうことが回避されている。
【００３３】
以下に、透明基板３２上に施されたマスク印刷３３について説明する。
【００３４】
マスク印刷３３は、上述したように、透明導電膜基板３０の透明基板３２上のうち、余白用電極１５の帯状電極１２との並び方向外側の一部と重なりながら帯状電極１２と余白用電極１５を取り囲むように施されている。そして、図４（ｂ）に示すように、バーコードシンボル部２に表示される複数のバー５の並び方向においては、その並び方向最も外側となる２つのバーからナローバーの幅の１０〜２９倍だけ複数のバー５の並び方向外側に離れて設けられている。
【００３５】
図５は、図３及び図４に示したバーコード表示媒体６においてバーコード１の読取精度を向上させるためのマスク印刷３３の色を説明するための図である。
【００３６】
図３及び図４に示したバーコード表示媒体６において、マスク印刷３３を施す領域を、表示される複数のバー５の並び方向最も外側となる２つのバーから外側に変化させていき、マスク印刷３３の色によるバーコード１の読取可否を測定した。なお、本測定においては、赤外線レーザタイプのバーコードリーダを用いた。
【００３７】
実施例１としてマスク印刷３３を黒色で施した場合、マスク印刷３３が、バーコードシンボル部２に表示される複数のバー５の並び方向最も外側となる２つのバーから、複数のバー５の並び方向外側にナローバーの幅の１０〜４０倍離れている場合の全てにおいてバーコード１の読み取りを行うことができた。なお、本実施例にて用いた黒色は、Ｌ＊（明度）が２３．７８、ａ＊（色度）が０．０４、ｂ＊（色度）が−０．１であり、これらのベクトルを加えた値は２３．７２である。また、本発明にて規定するＬ＊ａ＊ｂは、ＪＩＳ  Ｚ  ８７２９によるものである。
【００３８】
実施例２としてマスク印刷３３を青色で施した場合、マスク印刷３３が、バーコードシンボル部２に表示される複数のバー５の並び方向最も外側となる２つのバーから、複数のバー５の並び方向外側にナローバーの幅の１０〜４０倍離れている場合の全てにおいてバーコード１を読み取ることができた。なお、本実施例にて用いた青色は、Ｌ＊（明度）が３７．１、ａ＊（色度）が０．６５、ｂ＊（色度）が−４６．４９であり、これらのベクトルを加えた値は−８．７４である。
【００３９】
実施例３としてマスク印刷３３を青（薄目）色で施した場合、マスク印刷３３が、バーコードシンボル部２に表示される複数のバー５の並び方向最も外側となる２つのバーから、複数のバー５の並び方向外側にナローバーの幅の１０〜４０倍離れている場合の全てにおいてバーコード１を読み取ることができた。なお、本実施例にて用いた青（薄目）色は、Ｌ＊（明度）が５０．１７、ａ＊（色度）が−２．８２、ｂ＊（色度）が−３８．５５であり、これらのベクトルを加えた値は８．８である。
【００４０】
実施例４としてマスク印刷３３を緑色で施した場合、マスク印刷３３が、バーコードシンボル部２に表示される複数のバー５の並び方向最も外側となる２つのバーから、複数のバー５の並び方向外側にナローバーの幅の１０〜４０倍離れている場合の全てにおいてバーコード１を読み取ることができた。なお、本実施例にて用いた緑色は、Ｌ＊（明度）が５３．３９、ａ＊（色度）が−４２．０３、ｂ＊（色度）が３３．５１であり、これらのベクトルを加えた値は４４．８７である。
【００４１】
実施例５としてマスク印刷３３を灰色（濃目）で施した場合、マスク印刷３３が、バーコードシンボル部２に表示される複数のバー５の並び方向最も外側となる２つのバーから、複数のバー５の並び方向外側にナローバーの幅の１０〜４０倍離れている場合の全てにおいてバーコード１を読み取ることができた。なお、本実施例にて用いた灰色（濃目）は、Ｌ＊（明度）が５６．２８、ａ＊（色度）が０．１９、ｂ＊（色度）が−０．３９であり、これらのベクトルを加えた値は５６．０８である。
【００４２】
実施例６としてマスク印刷３３を灰色（薄目）で施した場合、マスク印刷３３が、バーコードシンボル部２に表示される複数のバー５の並び方向最も外側となる２つのバーから、複数のバー５の並び方向外側にナローバーの幅の１０〜４０倍離れている場合の全てにおいてバーコード１を読み取ることができた。なお、本実施例にて用いた灰色（薄目）は、Ｌ＊（明度）が６３．１８、ａ＊（色度）が０．２７、ｂ＊（色度）が−０．３４であり、これらのベクトルを加えた値は６３．１１である。
【００４３】
実施例７としてマスク印刷３３を灰色（極薄）で施した場合、マスク印刷３３が、バーコードシンボル部２に表示される複数のバー５の並び方向最も外側となる２つのバーから、複数のバー５の並び方向外側にナローバーの幅の１０〜４０倍離れている場合の全てにおいてバーコード１を読み取ることができた。なお、本実施例にて用いた灰色（極薄）は、Ｌ＊（明度）が７３．８５、ａ＊（色度）が０．３５、ｂ＊（色度）が−０．２４であり、これらのベクトルを加えた値は７３．９６である。
【００４４】
実施例８としてマスク印刷３３を水色で施した場合、マスク印刷３３が、バーコードシンボル部２に表示される複数のバー５の並び方向最も外側となる２つのバーから、複数のバー５の並び方向外側にナローバーの幅の１０〜４０倍離れている場合の全てにおいてバーコード１を読み取ることができた。なお、本実施例にて用いた水色は、Ｌ＊（明度）が７９．０１、ａ＊（色度）が−０．６２、ｂ＊（色度）が−７．２２であり、これらのベクトルを加えた値は７１．１７である。
【００４５】
一方、比較例１としてマスク印刷３３をピンク色で施した場合、マスク印刷３３が、バーコードシンボル部２に表示される複数のバー５の並び方向最も外側となる２つのバーから、複数のバー５の並び方向外側にナローバーの幅の１０〜２９倍離れている場合においてはバーコード１を読み取ることができず、３０倍以上離れている場合においてバーコード１を読み取ることができた。なお、本実施例にて用いたピンク色は、Ｌ＊（明度）が４０．６５、ａ＊（色度）が６２．７６、ｂ＊（色度）が−１．８７であり、これらのベクトルを加えた値は１０１．５４である。
【００４６】
比較例２としてマスク印刷３３を赤色で施した場合、マスク印刷３３が、バーコードシンボル部２に表示される複数のバー５の並び方向最も外側となる２つのバーから、複数のバー５の並び方向外側にナローバーの幅の１０〜３０倍離れている場合においてはバーコード１を読み取ることができず、３５倍、４０倍離れている場合においてバーコード１を読み取ることができた。なお、本実施例にて用いた赤色は、Ｌ＊（明度）が４０．３５、ａ＊（色度）が５２．６６、ｂ＊（色度）が３８．２４であり、これらのベクトルを加えた値は１３１．２５である。
【００４７】
比較例３としてマスク印刷３３を茶色で施した場合、マスク印刷３３が、バーコードシンボル部２に表示される複数のバー５の並び方向最も外側となる２つのバーから、複数のバー５の並び方向外側にナローバーの幅の１０〜３０倍離れている場合においてはバーコード１を読み取ることができず、３５倍、４０倍離れている場合においてバーコード１を読み取ることができた。なお、本実施例にて用いた茶色は、Ｌ＊（明度）が６４．８３、ａ＊（色度）が１３．７１、ｂ＊（色度）が６５．８７であり、これらのベクトルを加えた値は１４４．４１である。
【００４８】
比較例４としてマスク印刷３３を黄色で施した場合、マスク印刷３３が、バーコードシンボル部２に表示される複数のバー５の並び方向最も外側となる２つのバーから、複数のバー５の並び方向外側にナローバーの幅の１０〜３５倍離れている場合においてはバーコード１を読み取ることができず、４０倍離れている場合においてバーコード１を読み取ることができた。なお、本実施例にて用いた黄色は、Ｌ＊（明度）が８５．６、ａ＊（色度）が−１６．７６、ｂ＊（色度）が８８．６９であり、これらのベクトルを加えた値は１５７．５３である。
【００４９】
比較例５としてマスク印刷３３を白色で施した場合、マスク印刷３３が、バーコードシンボル部２に表示される複数のバー５の並び方向最も外側となる２つのバーから、複数のバー５の並び方向外側にナローバーの幅の１０〜２９倍離れている場合においてはバーコード１を読み取ることができず、３０倍以上離れている場合においてバーコード１を読み取ることができた。なお、本実施例にて用いた白色は、Ｌ＊（明度）が８９．４２、ａ＊（色度）が０．５７、ｂ＊（色度）が−１．０２であり、これらのベクトルを加えた値は８８．９７である。
【００５０】
上述した測定結果により、バーコード表示媒体６を小型化するために、バーコードシンボル部２に表示される複数のバー５の並び方向最も外側となる２つのバーと、マスク印刷３３との複数のバー５の並び方向における間隔をナローバーの幅の２９倍以下としたい場合、マスク印刷３３を、明度Ｌ＊と色度ａ＊と色度ｂ＊のベクトル加えた値、すなわち、（明度Ｌ＊）＋（色度ａ＊）＋（色度ｂ＊）が７４以下となる色で構成することにより、マスク印刷３３を、バーコードシンボル部２に表示される複数のバー５の並び方向最も外側となる２つのバーからナローバーの幅の１０倍以上複数のバー５の並び方向外側に離れて施せば、マスク印刷３３のエッジ部分がバーとして認識されずに、バーコードシンボル部２に表示されるバーコード１を正確に読み取ることができることになる。
【符号の説明】
【００５１】
１    バーコード
２    バーコードシンボル部
３    クワイエットゾーン
４    背景部
５    バー
６    バーコード表示媒体
１０    配線電極基板
１１    ベース基板
１２    帯状電極
１３    配線
１４    接続端子
１５    余白用電極
２０    情報表示層
２１    隔壁
２２    隔壁内液体
２３    帯電性粒子
２４    シール層
３０    透明導電膜基板
３１    透明基板
３２    透明電極
３３    マスク印刷
【図１】
0005600278.tif 000002
【図２】
0005600278.tif 000003
【図３】
0005600278.tif 000004
【図４】
0005600278.tif 000005
【図５】
0005600278.tif 000006